(57)【要約】【課題】投写画像の縦横比が変化した場合にスクリーンからはみ出して投写されるのを防止する。【解決手段】プロジェクター１において、記憶部に記憶された第１の縦横比をプロジェクター１の起動時に読み出すとともに、入力される画像信号が第１の縦横比とは異なる第２の縦横比であることを検出した場合、新たな入力画像を、第１の縦横比に対応する第１の領域に収まるように変形して、投写する。【選択図】図４
2012037636.tif 000002
【特許請求の範囲】
【請求項１】
プロジェクターであって、
画像信号が入力される画像信号入力部と、
前記入力される画像信号の縦横比を検出する検出部と、
光を射出する光源部と、
前記光源部から射出される光を前記入力される画像信号に応じて変調する光変調部と、
前記入力される画像信号に応じた画像を前記光変調部に書き込む画像信号処理部と、
前記光変調部に書き込まれた画像を投写面に投写する投写光学系と、
前記プロジェクターの動作終了時に、前記検出部が最後に検出した縦横比である第１の縦横比を記憶する記憶部とを備え、
前記画像信号処理部は、前記記憶部に記憶された前記第１の縦横比を前記プロジェクターの起動時に読み出すとともに、入力される画像信号が前記第１の縦横比とは異なる第２の縦横比であることを前記検出部が検出した場合、新たな入力画像信号に応じた前記第２の縦横比を有する画像を、前記光変調部において前記第１の縦横比に対応する第１の領域に収まるように変形して、前記光変調部に書き込むことを特徴とするプロジェクター。
【請求項２】
請求項１に記載のプロジェクターであって、
前記画像信号処理部は、新たな入力画像信号に応じた前記第２の縦横比を有する画像を、前記第１の領域に収まるように前記第２の縦横比を維持したまま変形して前記光変調部に書き込むことを特徴とするプロジェクター。
【請求項３】
請求項１に記載のプロジェクターであって、
前記画像信号処理部は、新たな入力画像信号に応じた前記第２の縦横比を有する画像を、前記第１の領域に収まるように縦または横の大きさを縮小して前記光変調部に書き込むことを特徴とするプロジェクター。
【請求項４】
請求項１に記載のプロジェクターであって、
前記画像信号処理部は、新たな入力画像信号に応じた前記第２の縦横比を有する画像を、前記第１の領域に収まるように上下または左右の領域をマスクして前記光変調部に書き込むことを特徴とするプロジェクター。
【請求項５】
請求項１から４のいずれか一項に記載のプロジェクターであって、
キー入力操作を受け付ける入力操作部をさらに備え、
前記画像信号処理部は、前記入力操作部に対する所定の入力操作を検出した場合、新たな入力画像信号に応じた前記第２の縦横比を有する画像を、前記光変調部において前記第２の縦横比を有し、かつ前記第１の領域よりも大きい第２の領域に表示されるように拡大して前記光変調部に書き込むことを特徴とするプロジェクター。
【請求項６】
請求項５に記載のプロジェクターであって、
前記画像信号処理部は、前記所定の入力操作を検出した場合、前記第２の縦横比を新たに前記記憶部に保存することを特徴とするプロジェクター。
【請求項７】
画像信号が入力される画像信号入力部と、前記入力される画像信号の縦横比を検出する検出部と、光を射出する光源部と、前記光源部から射出された光を前記入力される画像信号に応じて変調する光変調部と、前記入力される画像信号に応じた画像を前記光変調部に書き込む画像信号処理部と、前記光変調部に書き込まれた画像を投写面に投写する投写光学系と、を備えたプロジェクターの制御方法であって、
前記入力される画像信号の縦横比を検出するステップと、
前記プロジェクターの動作終了時に、前記検出部が最後に検出した縦横比である第１の縦横比を記憶するステップと、
前記プロジェクターの起動時に、前記記憶された前記第１の縦横比を読み出すとともに、入力される画像信号が前記第１の縦横比とは異なる第２の縦横比であることを検出した場合、新たな入力画像信号に応じた前記第２の縦横比を有する画像を、前記光変調部において前記第１の縦横比に対応する第１の領域に収まるように変形して前記光変調部に書き込むステップとを有することを特徴とするプロジェクターの制御方法。
【発明の詳細な説明】
【技術分野】
【０００１】
本発明は、入力される画像データに応じた画像を投写するプロジェクターおよびプロジェクターの制御方法に関する。
【背景技術】
【０００２】
プロジェクターは、一般に、光源から射出された光を液晶パネルのような光変調装置（以下では「光変調部」ともいう）を用いて変調し、入力画像信号に応じた画像を投写レンズによってスクリーン上に投写する構成を有している。
【０００３】
プロジェクターの光変調装置の縦横比と入力画像の縦横比が異なる場合、たとえばプロジェクターの光変調装置の縦横比が９：１６で入力画像の縦横比が３：４の場合、画像の縦横比を維持したまま光変調装置上に最大サイズで画像を形成するために、光変調装置の左右の領域に黒色画像が入る。
【０００４】
図３は従来技術のプロジェクターの投写状態の遷移を示す図である。縦横比９：１６の光変調装置を持つプロジェクターにおいて、入力画像信号が縦横比３：４で光変調装置に形成された入力画像を、縦横比３：４のスクリーンにサイズ一杯に投写していたとする。この場合、図３（ａ）のように投写画像の左右に黒色画像が入り、スクリーン中央に画像が投写される。
次に、入力画像信号の縦横比が９：１６に変化すると、光変調装置の領域一杯に入力画像が形成されるので、図３（ｂ）のように画像の左右がスクリーンからはみ出して投写される。このような画像のはみ出しを防ぐため、特許文献１に記載のように、基準として使用する縦横比（アスペクト比）を設定し、設定した縦横比で決定される領域に収まるように入力画像を光変調装置上に形成する調整方法が使われている。
【先行技術文献】
【特許文献】
【０００５】
【特許文献１】特開２００２−１９６７３６号公報
【発明の概要】
【発明が解決しようとする課題】
【０００６】
しかし、特許文献１の方法ではあらかじめ基準となる縦横比をプロジェクターに設定しておく必要があった。そのため、信号が変わるたびに設定し直さねばならず、手間が必要だった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、画像信号が入力される画像信号入力部と、前記入力される画像信号の縦横比を検出する検出部と、光を射出する光源部と、前記光源部から射出される光を前記入力される画像信号に応じて変調する光変調部と、前記入力される画像信号に応じた画像を前記光変調部に書き込む画像信号処理部と、前記光変調部に書き込まれた画像を投写面に投写する投写光学系と、前記プロジェクターの動作終了時に、前記検出部が最後に検出した縦横比である第１の縦横比を記憶する記憶部とを備え、前記画像信号処理部は、前記記憶部に記憶された前記第１の縦横比を前記プロジェクターの起動時に読み出すとともに、入力される画像信号が前記第１の縦横比とは異なる第２の縦横比であることを前記検出部が検出した場合、新たな入力画像信号に応じた前記第２の縦横比を有する画像を、前記光変調部において前記第１の縦横比に対応する第１の領域に収まるように変形して、前記光変調部に書き込むことを特徴とする。
【０００９】
本適用例によれば、プロジェクターの動作終了時に記憶部に保存された第１の縦横比をプロジェクターの起動時に読み出し、入力される画像信号の縦横比が第１の縦横比と異なる場合に第１の縦横比に対応する第１の領域に収まるように変形して投写する。これによって、ユーザーが都度基準となる縦横比を設定することなく、入力画像を第１の領域からはみ出さないように投写することが可能となる。
【００１０】
［適用例２］上記適用例に係るプロジェクターにおいて、前記画像信号処理部は、新たな入力画像信号に応じた前記第２の縦横比を有する画像を、前記第１の領域に収まるように前記第２の縦横比を維持したまま変形して前記光変調部に書き込むことを特徴とする。
【００１１】
本適用例によれば、第１の縦横比と異なる縦横比を持つ画像が入力された場合に、その縦横比を維持したまま第１の領域に収まるように変形して投写する。これによって、入力画像の縦横比を変えることなく第１の領域からはみ出さないように投写することが可能となる。
【００１２】
［適用例３］上記適用例１に係るプロジェクターにおいて、前記画像信号処理部は、新たな入力画像信号に応じた前記第２の縦横比を有する画像を、前記第１の領域に収まるように縦または横の大きさを縮小して前記光変調部に書き込むことを特徴とする。
【００１３】
本適用例によれば、第１の縦横比と異なる縦横比を持つ画像が入力された場合に、第１の領域に収まるよう縦または横の大きさを縮小して投写するので、入力画像を第１の領域からはみ出すことなく最大限の大きさで投写することが可能となる。
【００１４】
［適用例４］上記適用例１に係るプロジェクターにおいて、前記画像信号処理部は、新たな入力画像信号に応じた前記第２の縦横比を有する画像を、前記第１の領域に収まるように上下または左右の領域をマスクして前記光変調部に書き込むことを特徴とする。
【００１５】
本適用例によれば、第１の縦横比と異なる縦横比を持つ画像が入力された場合に、第１の領域に収まるよう上下または左右の領域をマスクして投写するので、第１の領域内で入力画像を縮小することなく、投写することが可能となる。
【００１６】
［適用例５］上記適用例に係るプロジェクターにおいて、キー入力操作を受け付ける入力操作部をさらに備え、前記画像信号処理部は、前記入力操作部に対する所定の入力操作を検出した場合、新たな入力画像信号に応じた前記第２の縦横比を有する画像を、前記光変調部において前記第２の縦横比を有し、かつ前記第１の領域よりも大きい第２の領域に表示されるように拡大して前記光変調部に書き込むことを特徴とする。
【００１７】
本適用例によれば、第１の縦横比とは異なる第２の縦横比を持つ画像信号が入力された場合に、第１の領域に収まるように表示した後、所定の入力操作により、第１の領域より大きい第２の領域に表示する。これによって、第１の縦横比と異なる画像信号が入力された場合、第１の領域からはみださずに表示されたのを確認した後、ユーザーがプロジェクターとスクリーンの位置やスクリーンサイズなどを変更し、その後、ユーザーの入力操作により、第２の領域に表示することができるので、特別なモード設定など行わずにスクリーンサイズに応じた画像の投写が可能となる。
【００１８】
［適用例６］上記適用例５に係るプロジェクターにおいて、前記画像信号処理部は、前記所定の入力操作を検出した場合、前記第２の縦横比を新たに前記記憶部に保存することを特徴とする。
【００１９】
本適用例によれば、第１の縦横比と異なる第２の縦横比を持つ画像信号が入力された場合、ユーザーの所定の入力操作により、第２の縦横比を新たに記憶部に保存する。これによって、ユーザーが特別なモード設定変更など行わなくても、第２の縦横比を新たな基準となる縦横比（第１の縦横比）として画像投写に使うことが可能となる。
【００２０】
［適用例７］本適用例に係るプロジェクターの制御方法は、画像信号が入力される画像信号入力部と、前記入力される画像信号の縦横比を検出する検出部と、光を射出する光源部と、前記光源部から射出された光を前記入力される画像信号に応じて変調する光変調部と、前記入力される画像信号に応じた画像を前記光変調部に書き込む画像信号処理部と、前記光変調部に書き込まれた画像を投写面に投写する投写光学系と、を備えたプロジェクターの制御方法であって、前記入力される画像信号の縦横比を検出するステップと、前記プロジェクターの動作終了時に、前記検出部が最後に検出した縦横比である第１の縦横比を記憶するステップと、前記プロジェクターの起動時に、前記記憶された前記第１の縦横比を読み出すとともに、入力される画像信号が前記第１の縦横比とは異なる第２の縦横比であることを検出した場合、新たな入力画像信号に応じた前記第２の縦横比を有する画像を、前記光変調部において前記第１の縦横比に対応する第１の領域に収まるように変形して前記光変調部に書き込むステップとを有することを特徴とする。
【００２１】
本適用例によれば、プロジェクターの動作終了時に記憶部に保存された第１の縦横比をプロジェクターの起動時に読み出し、入力される画像信号の縦横比が第１の縦横比と異なる場合に第１の縦横比に対応する第１の領域に収まるように変形して投写する。これによって、ユーザーが都度基準となる縦横比を設定することなく、入力画像を第１の領域からはみ出さないように投写することが可能となる。
【図面の簡単な説明】
【００２２】
【図１】プロジェクターの回路構成を示すブロック図。
【図２】実施形態１のプロジェクターの動作を示すフローチャート。
【図３】従来技術のプロジェクターの投写状態を示す図。
【図４】実施形態のプロジェクターの投写状態を示す図。
【図５】変形例１〜３のプロジェクターの投写状態を示す図。
【図６】変形例４のプロジェクターの動作を示すフローチャート。
【発明を実施するための形態】
【００２３】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２４】
（第１実施形態）
図１は、本実施形態のプロジェクターの回路構成を示すブロック図である。
図１に示すように、プロジェクター１は、画像投写部１０、制御部２０、記憶部２１、光源制御部２２、入力操作部２３、画像信号入力部２、画像信号処理部３、検出部４、等を含んで構成されており、これらは図示しない筐体の内部に収容されている。
【００２５】
画像投写部１０は、光源１１、光変調装置としての３つの液晶ライトバルブ１２Ｒ，１２Ｇ，１２Ｂ、投写光学系としての投写レンズ１３、液晶駆動部１４、等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２８】
上記実施形態では、光源としてランプを用いて投写するプロジェクター１を例示したが、本発明は光源としてＬＥＤ光源やレーザー光源などを用いて投写するプロジェクターにも適用することができる。なお、上記の実施形態では、光変調装置として３つの液晶ライトバルブ１２Ｒ，１２Ｇ，１２Ｂを用いた透過型液晶方式を例示したが、表示原理については、反射型液晶表示方式やマイクロミラーデバイス方式（ライトスイッチ表示方式）など、他の表示方式を採用しても良い。
【００２９】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマーが備えられている。
【００３０】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ、後述する縦横比情報等が記憶されている。本実施形態では設定データとして、操作キーのロック状態等が記憶されている。記憶部２１は、プロジェクター１の電源がオフされた後も縦横比情報を記憶する。
【００３１】
入力操作部２３は、ユーザーからの入力操作を受け付けるものであり、ユーザーがプロジェクター１に対して各種指示を行うための複数の操作キーを備えている。入力操作部２３が備える操作キーとしては、電源のオン・オフを交互に切り替えるための電源キーや、画像信号入力部２に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。ユーザーが入力操作部２３の各種操作キーを操作すると、入力操作部２３は、ユーザーの操作内容に応じた操作信号を制御部２０に出力する。
また、複数の操作キーはリモートコントローラー（不図示）を通じて操作されてもよい。リモートコントローラーは、例えばユーザーによって携行可能な大きさの無線通信端末であり、リモートコントローラー本体表面に、各種上記操作ボタンと同様の機能を有する操作ボタンが配されることが好ましい。
【００３２】
画像信号入力部２は、上述したように複数の画像入力端子を備えており、各画像入力端子より、ビデオ再生装置やパーソナルコンピューター等、外部の画像出力装置から、図示しないケーブルを介して画像信号が入力される。
【００３３】
画像信号処理部３は、画像信号入力部２から入力される画像信号を、液晶ライトバルブ１２Ｒ，１２Ｇ，１２Ｂの各画素の階調を表す画像信号に変換する。ここで、変換された画像信号は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
液晶駆動部１４は、画像信号処理部３から入力される画像信号に従って液晶ライトバルブ１２Ｒ，１２Ｇ，１２Ｂを駆動する。液晶駆動部１４によって駆動された液晶ライトバルブ１２Ｒ，１２Ｇ，１２Ｂは、画像信号に応じた画像を形成し、この画像が投写レンズ１３から投写される。
【００３５】
光源制御部２２は、制御部２０の指示に基づいて、光源１１に対する電力の供給と停止とを制御し、光源１１の点灯及び消灯を切り替える。
【００３６】
検出部４は、画像信号入力部２から入力される画像信号から縦横比情報を検出し、その検出結果を制御部２０に出力する。縦横比情報は、画像信号入力部２から入力される画像信号の縦横比に関する情報である。
【００３７】
次に、本実施形態のプロジェクター１の動作を図２のフローチャートを用いて説明する。
図２に示すように、まずプロジェクター１が入力操作部２３の電源オン操作などにより起動すると（ステップＳ１０１）、制御部２０は記憶部２１より縦横比Ｔ１（第１の縦横比）を取得する（ステップＳ１０２）。記憶部２１に記憶された縦横比Ｔ１は、プロジェクター１の電源がオンされる以前に使用された際に記憶部２１に記憶された縦横比である。
【００３８】
次に制御部２０は検出部４が検出した、画像信号入力部２に入力される画像信号の縦横比を取得する（ステップＳ１０３）。以下、これを縦横比Ｔ２（第２の縦横比）とする。
【００３９】
次に制御部２０は縦横比Ｔ１と縦横比Ｔ２を比較する（ステップＳ１０４）。縦横比Ｔ１及び縦横比Ｔ２が同じ場合（ステップＳ１０４：Ｙ）、制御部２０は画像信号処理部３に指示して入力画像を、縦横比Ｔ１で液晶ライトバルブ１２Ｒ，１２Ｇ及び１２Ｂの第1の領域に形成し（ステップＳ１０６）、電源オフ操作が検出されたか否かを確認するステップＳ１２１に移行する。ステップ１２１で電源オフ操作が検出されなければステップＳ１０３に移行する。なお、「第１の領域」とは、縦横比Ｔ１に対応して予め設定された液晶ライトバルブ上の領域である。また、第１の領域の縦横比は縦横比Ｔ１と等しい。
【００４０】
縦横比Ｔ１及び縦横比Ｔ２が異なる場合（ステップＳ１０４：Ｎ）、制御部２０は、画像信号処理部３に指示して、入力画像を、縦横比Ｔ２は維持しつつ第1の領域に収まる大きさに縮小して、液晶ライトバルブ１２Ｒ，１２Ｇ及び１２Ｂ上の第1の領域に形成し（ステップＳ１０５）、ステップＳ１２１に移行する。ステップＳ１２１で電源オフ操作が検出されなければステップＳ１０３に移行する。
【００４１】
制御部２０は、入力操作部２３が電源オフ操作を検出すると（ステップＳ１２１）、縦横比Ｔ１を記憶部２１に保存し（ステップＳ１２２）、電源オフ処理を行い（ステップＳ１２３）、本動作フローは終了する。
【００４２】
以上説明したように、本実施形態のプロジェクター１によれば、プロジェクター１の動作終了時に記憶部２１に保存された第１の縦横比をプロジェクター１の起動時に読み出し、入力される画像信号の縦横比（第２の縦横比）が第１の縦横比と異なる場合に第１の縦横比に対応する第１の領域に収まるように変形して投写する。これによって、ユーザーが都度基準となる縦横比を設定することなく、入力画像を第１の領域からはみ出さないように投写することが可能となる。また、入力画像の縦横比を変えることなく第１の領域からはみ出さないように投写することも可能となる。
【００４３】
図４は本実施形態のプロジェクター１の投写遷移を示す図である。図４（ａ）のように、縦横比９：１６の光変調装置を持つプロジェクターにおいて、縦横比Ｔ１（３：４）の入力画像を投写していたとする。入力画像信号の縦横比が縦横比Ｔ２（９：１６）に変化すると、図４（ｂ）のように入力画像が縦横比Ｔ１に対応する第１の領域に収まるように変形して投写される。
【００４４】
また、上記実施形態は、以下のように変更してもよい。
【００４５】
（変形例１）
上記実施形態では新たに入力された画像信号の縦横比が第１の縦横比と異なる第２の縦横比の場合、第１の領域に収まるように第２の縦横比を維持したまま縮小して光変調部に書き込むが、図５（ａ）のように、第２の縦横比を有する画像を、第１の領域に収まるように縦方向又は横方向の一方の大きさを縮小して前記光変調部に書き込むようにしてもよい。これによって、入力画像を第１の領域からはみ出すことなく、縦方向又は横方向の大きさを最大限に活用して投写することが可能となる。
【００４６】
（変形例２）
上記実施形態では新たに入力された画像信号の縦横比が第１の縦横比と異なる第２の縦横比の場合、第１の領域に収まるように第２の縦横比を維持したまま縮小して光変調部に書き込むが、図５（ｂ）のように、第２の縦横比を有する画像を、第１の領域に収まるように上下または左右の領域をマスクして前記光変調部に書き込むようにしてもよい。これによって、入力画像を第１の領域内で入力画像を縮小することなく、投写することが可能となる。
【００４７】
（変形例３）
上記実施形態および変形例において、入力操作部に対する所定の入力操作を検出した場合、第２の縦横比を有する画像を、光変調部において第２の縦横比を有し、かつ前記第１の領域よりも大きい第２の領域に表示されるように拡大して前記光変調部に書き込むようにしてもよい。なお「第２の領域」とは、縦横比Ｔ２に対応して予め設定された液晶ライトバルブ上の領域である。また、第２の領域の縦横比は縦横比Ｔ２と等しい。第１の縦横比とは異なる第２の縦横比を持つ画像信号が入力された場合に第１の領域に収まるように表示した後、所定の入力操作により、第１の領域より大きい、第２の領域に表示する。これによって、第１の縦横比と異なる画像信号が入力された場合、第１の領域からはみださずに表示されたのを確認した後、ユーザーがプロジェクターとスクリーンの位置やスクリーンサイズなどを変更した後、ユーザーの入力操作により、第２の領域に表示することができるので、特別なモード設定など行わずにスクリーンサイズに応じた画像の投写が可能となる。
【００４８】
（変形例４）
上記変形例３において、入力操作部に対する所定の入力操作を検出した場合、新たな入力画像の第２の縦横比を新たに記憶部２１に保存するようにしてもよい。
【００４９】
本変形例のプロジェクター１の動作を図６のフローチャートを用いて説明する。
図６に示すように、まずプロジェクター１が入力操作部２３の電源オン操作などにより起動すると（ステップＳ２０１）、制御部２０は記憶部２１より縦横比Ｔ１（第１の縦横比）を取得する（ステップＳ２０２）。
【００５０】
次に制御部２０は検出部４が検出した、画像信号入力部２に入力される画像信号の縦横比を取得する（ステップＳ２０３）。以下、これを縦横比Ｔ２（第２の縦横比）とする。
【００５１】
次に制御部２０は縦横比Ｔ１と縦横比Ｔ２を比較する（ステップＳ２０４）。縦横比Ｔ１及び縦横比Ｔ２が同じ場合（ステップＳ２０４：Ｙ）、制御部２０は画像信号処理部３に指示して入力画像を、縦横比Ｔ１で液晶ライトバルブ１２Ｒ、１２Ｇ及び１２Ｂの第1の領域に形成し（ステップＳ２０６）、ステップＳ２０７に移行する。
縦横比Ｔ１及び縦横比Ｔ２が異なる場合（ステップＳ２０４：Ｎ）、制御部２０は画像信号処理部３に指示して入力画像を、縦横比Ｔ１の第1の領域に収まる大きさに縮小して液晶ライトバルブ１２Ｒ、１２Ｇ及び１２Ｂ上の第1の領域に形成し（ステップＳ２０５）、ステップＳ２０７に移行する。
【００５２】
ステップＳ２０７において制御部２０は入力操作部２３に所定の入力操作があるか調べる（ステップＳ２０７）。所定の入力操作を検出した場合（ステップＳ２０７：Ｙ）、制御部２０は画像信号処理部３に指示して入力画像を、縦横比Ｔ２で第１の領域より大きい液晶ライトバルブ１２Ｒ、１２Ｇ及び１２Ｂの第２の領域に形成し（ステップＳ２０８）、ステップＳ２０９に移行する。所定の入力操作を検出していない場合ステップＳ２０７：Ｎ）はステップＳ２０３に移行する。
【００５３】
ステップＳ２０９において制御部２０は入力画像の縦横比Ｔ２を新たに縦横比Ｔ１として記憶部２１に保存し、電源オフ操作がされたか否かを検出するステップＳ２１０に移行する。ステップＳ２１０で電源オフ操作が検出されなければステップＳ２０３に移行する。
【００５４】
以上説明したように、本変形例のプロジェクター１によれば、第１の縦横比と異なる第２の縦横比を持つ画像信号が入力された場合、ユーザーの所定の入力操作により、第２の縦横比を新たに記憶部２１に保存する。これによってユーザーが特別なモード設定変更など行わなくても、第２の縦横比を新たな基準となる縦横比（第１の縦横比）として画像投写に使うことが可能となる。
【符号の説明】
【００５５】
１…プロジェクター、２…画像信号入力部、３…画像信号処理部、４…検出部、１０…画像投写部、１１…光源、１２Ｒ、１２Ｇ、１２Ｂ…液晶ライトバルブ、１３…投写レンズ、１４…液晶駆動部、２０…制御部、２１…記憶部、２２…光源制御部、２３…入力操作部。
【図１】
2012037636.tif 000003
【図２】
2012037636.tif 000004
【図３】
2012037636.tif 000005
【図４】
2012037636.tif 000006
【図５】
2012037636.tif 000007
【図６】
2012037636.tif 000008